(57)【要約】【課題】有用な機能を有するとともにその制御が容易な照明装置を提供する。【解決手段】照明装置は、複数の発光ダイオードを含む光源部と、手の動きを検知する非接触近接センサと、非接触近接センサの出力に基づいて光源部を制御する制御部とを有する。照明中は逆方向の動き検知を識別して逆方向の明るさ制御を行うとともに、照明中でないときは検知方向にかかわらず単純に点灯を実行する。制御前の手の接近を不感とし、離間動作で制御を行う。制御後の手の離間を不感とし、誤操作を伴わず手を離間可能とする。出力変化後所定時間帯のみ早い手の動きを抽出検知して消灯する。通常制御では所定より早い手の動きは不感とする。手の影ができない位置に逆向きに設けられた一対のセンサ部で右手および左手のそれぞれ接近のみを検知し、確実かつ手の影に妨げられない照明範囲の変更制御を行う。【選択図】図１
2012043722.tif 000002
【特許請求の範囲】
【請求項１】
照明のための光源部と、前記光源部による照明範囲外における手の動きを検知する位置に設けられた非接触近接センサと、前記光源部による照明中において前記非接触近接センサの出力に基づいて前記光源部を制御する制御部とを有することを特徴とする照明装置。
【請求項２】
前記光源部は複数の発光ダイオードを含むとともに、前記制御部は、複数の発光ダイオードを選択制御することを特徴とする請求項１記載の照明装置。
【請求項３】
前記光源部は前記複数の発光ダイオードの制御により前記光源部による照明範囲を変更することを特徴とする請求項１または２記載の照明装置。
【請求項４】
前記制御部は、前記非接触近接センサが検知する手の動きに従った方向に前記光源部による照明範囲を変更することを特徴とする請求項１から３のいずれかに記載の照明装置。
【請求項５】
前記制御部は、前記光源部が照明中でないとき、照明中とは異なる判断基準に基づいて前記非接触近接センサの出力に基づく制御を行うことを特徴とする請求項１から４のいずれかに記載の照明装置。
【請求項６】
前記制御部は、前記非接触近接センサの出力に基づく前記光源部の制御に隣接する時間帯において前記非接触近接センサの出力に基づく制御を行わないことを特徴とする請求項１から５のいずれかに記載の照明装置。
【請求項７】
前記制御部は、前記非接触近接センサの所定の出力変化についてはその出力に基づく制御を行わないことを特徴とする請求項１から６のいずれかに記載の照明装置。
【請求項８】
前記非接触近接センサは、互いに逆方向の手の動きの検知を担当する一対のセンサ部を有し、前記制御部は、前記一対のセンサ部のそれぞれ担当する動きに基づいて前記光源部の制御を行なうことを特徴とする請求項１から７のいずれかに記載の照明装置。
【請求項９】
照明のための光源部と、手の動きを検知する非接触近接センサと、前記光源部が照明中であるときと照明中でないときにおいて異なる判断基準に基づいて前記非接触近接センサの出力に基づいて前記光源部を制御する制御部とを有することを特徴とする照明装置。
【請求項１０】
前記制御部は、前記光源部が照明中のとき前記非接触近接センサの第１の出力変化に基づき前記光源部を第１の態様で制御するとともに前記非接触近接センサの第２の出力変化に基づき前記光源部を第２の態様で制御する一方、前記光源部が照明中でないときは、前記非接触近接センサの出力変化が前記第１の出力変化および前記第２の出力変化のいずれであっても前記光源部を照明状態とすることを特徴とする請求項９記載の照明装置。
【請求項１１】
前記制御部は、前記光源部が照明中でないとき前記光源部は消灯状態にあることを特徴とする請求項９または１０記載の照明装置。
【請求項１２】
前記制御部は、前記光源部が照明中でないとき前記光源部は常夜灯点灯状態にあることを特徴とする請求項９または１０記載の照明装置。
【請求項１３】
照明のための光源部と、手の動きを検知する非接触近接センサと、前記非接触近接センサの出力に基づいて前記光源部を制御するとともにこの制御に隣接する時間帯において前記非接触近接センサの出力に基づく制御を行わない制御部とを有することを特徴とする照明装置。
【請求項１４】
前記隣接する時間帯は、前記非接触近接センサの出力に基づいて前記光源部を制御する前の時間帯であることを特徴とする請求項１３記載の照明装置。
【請求項１５】
前記隣接する時間帯は、前記非接触近接センサの出力に基づいて前記光源部を制御した後の時間帯であることを特徴とする請求項１３記載の照明装置。
【請求項１６】
照明のための光源部と、手の動きを検知する非接触近接センサと、前記非接触近接センサの出力に基づいて前記光源部を制御するとともに前記非接触近接センサの所定の出力変化についてはその出力に基づく制御を行わない制御部とを有することを特徴とする照明装置。
【請求項１７】
前記所定の出力変化は所定より早い出力変化であることを特徴とする請求項１６記載の照明装置。
【請求項１８】
照明のための光源部と、互いに逆方向の手の動きの検知を担当する一対のセンサ部を有する非接触近接センサと、前記一対のセンサ部のそれぞれ担当する動きに基づいて前記光源部の制御を行なう制御部とを有することを特徴とする照明装置。
【請求項１９】
前記一対のセンサ部は互いに逆方向に向けて配置されるとともに、前記制御部は、前記一対のセンサ部におけるそれぞれ手の接近の検知に基づいて前記光源部の制御を行なうことを特徴とする請求項１８記載の照明装置。
【請求項２０】
照明のための光源部と、手の動きを検知する非接触近接センサと、前記非接触近接センサの出力に基づいて前記光源部を制御するとともに非接触近接センサの出力変化開始から特定時間内は前記非接触近接センサの特定の出力変化について特定の制御を行う制御部とを有することを特徴とする照明装置。
【請求項２１】
前記特定の出力変化は所定より早い出力変化であることを特徴とする請求項２０記載の照明装置。
【発明の詳細な説明】
【技術分野】
【０００１】
本発明は、照明装置に関する。
【背景技術】
【０００２】
従来種々の目的のために種々の照明装置が提案されている。照明装置に用いられる光源としては蛍光灯が一般的であるが、近年ＬＥＤの利用も進んでいる。また、照明装置の制御についても種々の提案がなされている。例えば、天板上で調理作業を行う際の光源となる照明装置の前面に、人体を検知して光源装置の点灯および消灯動作を制御する赤外線等の非接触型のセンサによるスイッチ装置を有する厨房装置が提案されている。そして、このセンサの上下方向の検知範囲を、センサ正面前方で天板に対しほぼ水平な面からセンサ正面から天板前縁への仮想延長面までの間にとることが提案されている。(特許文献１)また、同様の厨房装置において、センサの検知範囲が、天板情報の吊り戸式キャビネット前面より下方に延長した仮想垂直面とセンサ正面前方で天板に対しほぼ水平な面と、センサ正面から天板前縁への仮想延長面で囲まれる範囲とすることも提案されている。（特許文献２)一方、明るさと色とが変更可能な照明ユニットを備えたトイレルームにおいて照明ユニットを正著する照明コントロールボックスのスイッチが非接触式反射型センサで構成されるものが提案されている。（特許文献３）
【先行技術文献】
【特許文献】
【０００３】
【特許文献１】特開平３−２３３８０４号公報
【特許文献２】特開平３−２７７３１３号公報
【特許文献３】特開平５−１６６５８６号公報
【発明の開示】
【発明が解決しようとする課題】
【０００４】
しかしながら、照明装置の機能およびその制御に関しては、さらに検討すべき課題が多い。
【０００５】
本発明の課題は、上記に鑑み、有用な機能を有するとともにその制御が容易な照明装置を提供することにある。
【課題を解決するための手段】
【０００６】
上記課題を達成するため、本発明は、照明のための光源部と、光源部による照明範囲外における手の動きを検知する位置に設けられた非接触近接センサと、光源部による照明中において非接触近接センサの出力に基づいて光源部を制御する制御部とを有する照明装置が提供される。これによって、照明対象に非接触近接センサを操作する手の影を生じさせることなく、照明中の光源部を制御することが可能となる。なお、制御部による光源部の制御は、例えば、照明の広さや照明位置の移動などの照明範囲の変更である。
【０００７】
本発明の具体的な特徴によれば、光源部は複数の発光ダイオードを含むとともに、制御部は、複数の発光ダイオードを選択制御する。これによって、照明対象に非接触近接センサを操作する手の影を生じさせることなく、複数の発光ダイオードの選択制御が可能となる。複数の発光ダイオードの選択制御によって、例えば照明範囲の変更が可能となる。
【０００８】
本発明の他の具体的な特徴によれば、制御部は、非接触近接センサが検知する手の動きに従った方向に光源部による照明範囲を変更する。これによって、非接触操作でありながら照明装置を手で押しながら照明範囲を変更するごとき慣れ親しんだ操作様式を継承することができる。
【０００９】
本発明の他の特徴によれば、照明のための光源部と、手の動きを検知する非接触近接センサと、光源部が照明中であるときと照明中でないときにおいて異なる判断基準に基づいて非接触近接センサの出力に基づいて光源部を制御する制御部とを有する照明装置が提供される。これによって、非接触近接センサの出力をきめ細かく判別して比較的制御項目が多い照明中の操作を実行するとともに、非接触近接センサの出力の遺憾にかかわらず検出結果に基づいて比較的制御項目の少ない照明中でないときの制御を行うことができる。
【００１０】
上記本発明の具体的な特徴によれば、制御部は、光源部が照明中のとき前記非接触近接センサの第１の出力変化に基づき前記光源部を第１の態様で制御するとともに非接触近接センサの第２の出力変化に基づき光源部を第２の態様で制御する一方、光源部が照明中でないときは、非接触近接センサの出力変化が第１の出力変化および第２の出力変化のいずれであっても光源部を照明状態とする。これによって、照明中における明るさの増減など方向性のある制御を手の動きを使い分けることで確実に行えるとともに、光源部が照明中でないときはどのような手の動きでも光源部の点灯という単純な目的を容易に達成することができる。なお、上記において、消灯状態であっても常夜灯点灯状態であっても、照明中でない状態に該当する。
【００１１】
本発明の他の特徴によれば、照明のための光源部と、手の動きを検知する非接触近接センサと、非接触近接センサの出力に基づいて光源部を制御するとともにこの制御に隣接する時間帯において非接触近接センサの出力に基づく制御を行わない制御部とを有する照明装置が提供される。これによって、光源部の制御に隣接する時間帯における手の動きに基づく意図しない誤操作を防止することができる。
【００１２】
上記本発明の具体的な特徴によれば、隣接する時間帯は、非接触近接センサの出力に基づいて光源部を制御する前の時間帯である。これによって例えば非接触近接センサからの離間によって光源部の所望の制御を行う場合、それに先立って非接触近接センサに手を近づける際の意図しない誤操作をぼうしすることができる。また、他の具体的な特徴によれば、隣接する時間帯は、非接触近接センサの出力に基づいて光源部を制御した後の時間帯である。これによって例えば、光源部の消耗の制御を完了して手を離間させる時に意図しない誤操作が後続する防止することができる。
【００１３】
本発明の他の特徴によれば、照明のための光源部と、手の動きを検知する非接触近接センサと、非接触近接センサの出力に基づいて光源部を制御するとともに非接触近接センサの所定の出力変化についてはその出力に基づく制御を行わない制御部とを有する照明装置が提供される。これによって目的の操作とは異なる手の動きに基づく意図しない誤操作を防止することができる。
【００１４】
上記本発明の具体的な特徴によれば、所定の出力変化は所定より早い出力変化である。これによって、ゆっくりした手の動きによって微妙な調整制御を行う最、この操作のためにまず非接触近接センサに急接近する手の動きに基づく意図しない誤操作を防止することができる。
【００１５】
本発明の他の特徴によれば、照明のための光源部と、互いに逆方向の手の動きの検知を担当する一対のセンサ部を有する非接触近接センサと、一対のセンサ部のそれぞれ担当する動きに基づいて光源部の制御を行なう制御部とを有する照明装置が提供される。これによって、双方向の制御が可能な操作であるにもかかわらず、それぞれのセンサ部については一方向の動きのみを検出すればよいので、意図しない逆方向の手の動きによる誤操作を防止することができる。
【００１６】
上記本発明の具体的な特徴によれば、一対のセンサ部は互いに逆方向に向けて配置されるとともに、制御部は、一対のセンサ部におけるそれぞれ手の接近の検知に基づいて光源部の制御を行なう。これによって、非接触操作でありながら照明装置を右手または左手でそれぞれ逆方向に押しながら照明範囲等の調整を行うごとき慣れ親しんだ操作様式を継承することができる。
【００１７】
本発明の他の特徴によれば、照明のための光源部と、手の動きを検知する非接触近接センサと、非接触近接センサの出力に基づいて光源部を制御するとともに非接触近接センサの出力変化開始から特定時間内は非接触近接センサの特定の出力変化について特定の制御を行う制御部とを有する照明装置が提供される。これによって、操作開示時点の特定の手の動きは、他の動きと混同されることがなくなる。
【００１８】
上記本発明の具体的な特徴によれば、特定の出力変化は所定より早い出力変化である。これによって、例えば照明状態を終了させる等の微妙な調整を目的としない単純な操作を手の早い動きにより他の操作との混同を生じせしめることなく実行することができる。
【発明の効果】
【００１９】
上記のように、本発明によれば、有用な機能を有するとともにその制御が容易な照明装置を提供することができる。
【図面の簡単な説明】
【００２０】
【図１】本発明の実施の形態に係る照明装置の実施例１を示すブロック図である。（実施例１）
【図２】実施例１の回路ブロック図である。
【図３】実施例１の平面配置概念図である。
【図４】実施例１における近接センサの詳細構成を示す概念図である。
【図５】実施例１の近接センサにおけるパルス照射タイミング反射光サンプリングタイミングを示すタイミングチャートである。
【図６】本発明の実施の形態に係る照明装置の実施例２を示すブロック図である。（実施例２）
【図７】実施例２における白色ＬＥＤ実装フレキシブル基板の展開図である。
【図８】本発明の実施の形態に係る照明装置の実施例３を示すブロック図である。（実施例３）
【図９】本発明の実施の形態に係る照明装置の実施例４を示すブロック図である。（実施例４）
【図１０】実施例３または実施例４における制御部の基本機能を示すフローチャートである。
【図１１】図１０のステップＳ３８の詳細を示すフローチャートである。
【発明を実施するための形態】
【実施例１】
【００２１】
図１は、本発明の実施の形態に係る照明装置の実施例１を示すブロック図である。実施例１は、保持部２によってキッチン上部の適所に固定されるキッチン用手元照明装置４として構成される。なお、図１のブロック図は、理解の便のため概念化して図示しているが、実際の構成について説明が必要な場合は、以下において適宜補足する。照明装置４は面上に並列された複数の白色発光ダイオード（ＬＥＤ）６、８、１０、１２、１４、１６、１８および２０等を有し、それぞれから比較的広角に発光される白色光を前面に設けられた集光レンズアレイ２２の各小レンズ群でそれぞれ集光して下方に照射する。また、各白色ＬＥＤは金属からなる放熱板２３に熱的に接触しており、放熱板２３による冷却により発光効率の低下を防止している。なお、図１では簡単のため白色ＬＥＤを８個のみ図示したが、実際には多数（例えば数百個）の白色ＬＥＤが全体として円形になるよう配列される。照明装置４の下方にはガスコンロなどのホットプレート２４、調理台２６、シンク２８などの照明を要するキッチン設備が位置している。
【００２２】
ＬＥＤドライバ３０は電源部３２からの給電を受け、ＰＷＭ制御部３４によってそれぞれオンオフされるスイッチ群３６を介して定電流源３８からの電流をそれぞれ白色ＬＥＤ６、８、１０、１２、１４、１６、１８および２０等に供給することで発光の制御を行う。発光の制御は制御部４０がＰＷＭ制御部３４を制御することによって行われる。まず、照明装置４を点灯させるには下方近接センサ４２の下方近傍において手を動かす。下方近接センサ４２の出力に何らかの変化があることが制御部４０で判断されると点灯信号がＰＷＭ制御部３４に送られ、これによって手の動きの方向にかかわらず白色ＬＥＤ６、８、１０、１２、１４、１６、１８および２０等が点灯する。このとき点灯状態は前回消灯時のものが再現される。
【００２３】
次に照明装置４の明るさを変更するには下方近接センサ４２の下方近傍において手を左右方向に動かす。下方近接センサ４２の出力変化に応じて制御部４０が左から右への手の動きを検知すると、デューティーサイクルが上限でない限り、ＰＷＭ制御部３４にデューティーサイクルを所定量増加させる信号が送られ、白色ＬＥＤ６、８、１０、１２、１４、１６、１８および２０等の明るさが増加する。一方、下方近接センサ４２の出力変化に応じて制御部４０が右から左への手の動きを検知すると、デューティーサイクルが下限でない限り、ＰＷＭ制御部３４にデューティーサイクルを所定量減少させる信号が送られ、白色ＬＥＤ６、８、１０、１２、１４、１６、１８および２０等の明るさが減少する。さらに、下方近接センサ４２の出力変化に応じて制御部４０が下方近接センサ４２近傍から急速に離間させられたことを検知すると、ＰＷＭ制御部３４に消灯信号が送られ、白色ＬＥＤ６、８、１０、１２、１４、１６、１８および２０等が消灯する。
【００２４】
なお、上記において、増灯または減光操作した手が下方近接センサ４２から離間していくときにこれに伴って意図しない増灯または減光が行われないよう、所望の増灯または減光操作した手をその後所定時間静止させたときは、そこから所定時間の出力変化を無効とする不感時間帯を設ける。従ってこの不感時間帯において手をゆっくり離間させればこの動きに伴って意図しない増灯または減光が生じることはない。また、消灯のため急速離間の前に下方近接センサ４２に接近する手の動きを増灯または減光のための操作と混同されないようにするため、下方近接センサが最初に出力変化を検知してから所定時間は急速離間の判断に基づく消灯のみを実行するようにする。そして、この所定時間内に急速離間があったと判断されないときに限り、手の動きに応じた増灯または減光を実行する。従って、消灯が手の急速離間検知後、直ちに実行されるのに対し、増灯または減光等は手の左右の動きの検知後、若干の遅延をもって実行されることになる。
【００２５】
以上のように、制御部４０の判断は、照明装置４が消灯中の場合と点灯中の場合で異なったものとなる。つまり、照明装置４が消灯中の場合は手の動きかかわらず点灯制御が行われるとともに、点灯中の場合は手の動の違いを判別して増光または減光または消灯等の違う制御が行われる。
【００２６】
なお、上記において、消灯状態に代えて、白色ＬＥＤ６、８、１０、１２、１４、１６、１８および２０等が微小デューティーサイクルにて点灯し、常夜灯として機能するようにしてもよい。この場合、上記における「消灯」は「常夜灯点灯」と読み替えて理解するものとする。また照明を行わない際に「消灯」または「常夜灯点灯」のいずれとするかを予め設定しておくことも可能である。また、上記の「常夜灯点灯」は、全ての白色ＬＥＤ６、８、１０、１２、１４、１６、１８および２０等を微小デューティーサイクルにて点灯することで寿命に差がでないようにする。しかし寿命の差に重きを置かない場合は、「常夜灯点灯」のために予め設定した白色ＬＥＤ（例えばシンク２８の上の白色ＬＥＤ１６、１８および２０）のみを選択的に微小デューティーサイクルにて点灯させるようにしてもよい。
【００２７】
次に照明範囲を変更するときは、左方近接センサ４４および右方近接センサ４６の一方または両者の近傍で手を動かす。なお、このような操作のため手が影になって照明範囲の設定を阻害しないよう、左方近接センサ４４および右方近接センサ４６は照明装置４の上部側方に設けられている。なお、図１では、簡単のために照明範囲を変更ための近接センサを、左方近接センサ４４および右方近接センサ４６の一対としているが、実際には照明装置４の上部側面周囲に複数対設けられ、照明装置４の上下軸まわりのいずれの方向からの手の操作も検知できるようになっている。これにともなって照明範囲も照明装置４の上下軸まわりのいずれの方向へも移動可能となる。以下、照明範囲の変更について簡単のため、一対の左方近接センサ４４および右方近接センサ４６に基づいて具体的に説明する。
【００２８】
まず、照明範囲の広さを変更する場合について説明する。照明範囲を縮小するには、左方近接センサ４４および右方近接センサ４６に対しそれぞれ両手をゆっくり接近させる。左方近接センサ４４および右方近接センサ４６の出力変化に基づいて両手の接近が制御部４０で検知されると、照明範囲が下限でない限り、照明装置４の上下軸まわりの外側から所定数の輪帯状の白色ＬＥＤを消灯させる。なお、白色ＬＥＤ６、８、１０、１２、１４、１６、１８および２０等がすべて点灯させられているときは放熱板２３の放熱能力の限界を考慮してデューティーサイクルに上限が設けられているが、上記のようにして一部が消灯させられて時は放熱能力に余裕が出るため、デューティーサイクルの上限を上げることができる。この事情を活用し、照明範囲を縮小するために外側の輪帯状の白色ＬＥＤを消灯させたときは、これに伴って点灯している残りの内側の白色ＬＥＤのデューティーサイクルを自動的に増加させる。これによって、照明範囲を縮小するとともに範囲内の明るさを増したスポット照明状態を実現することができる。
【００２９】
一方、照明範囲を拡大するには、左方近接センサ４４および右方近接センサ４６にそれぞれ両手を急速接近させた後、そこからゆっくり離間させる。なお、このとき両手を近づける動きが上記の照明範囲縮小操作と混同されないようにするため、所定速度以上の急速接近は照明範囲縮小操作とは認識されないよう構成する。左方近接センサ４４および右方近接センサ４６の出力変化に基づいて両手の離間が制御部４０によって検知されたとき、照明範囲が上限（つまり全ての白色ＬＥＤが点灯状態）でない限り、消灯状態にある白色ＬＥＤのうち照明装置４の上下軸まわりの内側の所定数の輪帯状範囲にあるものから点灯させる。このとき、点灯する白色ＬＥＤの数の増加に伴い、放熱板２３の放熱能力の限界を考慮して点灯する白色ＬＥＤのデューティーサイクルを自動的に低下させる。このとき、個々の白色ＬＥＤの発光は抑えるが照明範囲トータルの光量は保たれるようにする。
【００３０】
次に照明範囲を移動させる場合について説明する。例として、上記の照明範囲縮小操作によって、例えば白色ＬＥＤ１０、１２、１４および１６が点灯し、白色ＬＥＤ６、８、１８および２０が消灯することによって調理台２６がスポット的に照明されている状態を考える。ここで照明範囲をその右側にあるシンク２８に移動させるには、左方近接センサ４４に対し左手を接近させる。この動きが制御部４０によって検知されると、例えば、白色ＬＥＤ１０が消灯されるとともに白色ＬＥＤ１６が点灯され照明範囲がシンク２８側に移動する。そしてさらに照明範囲をシンク２８側に移動させるためには左方近接センサ４４に対し左手を一度離間させた後再び接近させる。左方近接センサ４４の出力のみが変化するとき、制御部４０は離間の動きは無視するので再接近のみが検知され、これに応じて、例えば、白色ＬＥＤ１２が消灯されるとともに白色ＬＥＤ２０が点灯され照明範囲がシンク２８上に来る。以上は線上の動きで説明したが、実際には照明スポットが右側に移動していく。また、スポットの移動段階も多く、よりスムーズなものとなる。
【００３１】
一方、照明範囲をその左側に移動させる場合には、右方近接センサ４６に対する右手の接近を繰り返すことにより、上記の左方近接センサ４４の場合と同様にして、照明範囲が左側に移動していく。例えば上記の白色ＬＥＤ１４、１６、１８および２０が点灯し、白色ＬＥＤ６、８、１０および１２が消灯することによってシンク２８がスポット的に照明されている状態から出発して、右方近接センサ４６に対し右手を接近させる。この動きが制御部４０によって検知されると、例えば、白色ＬＥＤ２０が消灯されるとともに白色ＬＥＤ１２が点灯され照明範囲が調理第２６に移動する。そしてさらに照明範囲を調理台２６側に移動させるためには右方近接センサ４６に対し右手を一度離間させた後再び接近させる。左方近接センサ４４の場合と同様にして右方近接センサ４６の出力のみが変化するとき、制御部４０は離間の動きは無視するので再接近のみが検知され、これに応じて、例えば、白色ＬＥＤ１８が消灯されるとともに白色ＬＥＤ１０が点灯され照明範囲が調理台２６上に来る。この動きを繰り返すことで、照明範囲をホットプレート２４上まで移動させることができる。
【００３２】
図２は、図１の実施例１の回路ブロック図であり、図１と対応する部分には同一の番号を付し、必要のない限り説明を省略する。電源部３２は、電力線４８の交流をトランス５０で降圧するとともに全波整流器５２で整流し、これを電解コンデンサ５４で平滑して直流電源回路５６に供給する。なお、トランス５０を省略して全波整流器５２に電力線４８から直接給電するよう構成してもよい。直流電源回路５６と接地の間には白色ＬＥＤ群６、５８、６０、スイッチ素子６２および定電流源６４が直列で接続されている。また、直流電源回路５６と接地の間には、これと並列に、白色ＬＥＤ群８、６６、６８、スイッチ素子７０および定電流源７２が直列で接続されている。さらに、直流電源回路５６と接地の間には、これらと並列に、白色ＬＥＤ群１０、７４、７６、スイッチ素子７８および定電流源８０が直列で接続されている。そして、スイッチ素子６２、７０および７８等のオンオフをＰＷＭ制御部３４で制御することによって白色ＬＥＤ群の点灯・消灯および点灯時の明るさ調整が行われる。ＰＷＭ制御部３４によるＰＷＭ制御のデューティーサイクルは、制御部４０によって制御される。
【００３３】
なお、図２では白色ＬＥＤの直列接続は３つしか図示されていないが、実際には多数の白色ＬＥＤが直列接続毎に別々に点灯のデューティーが制御可能なよう構成される。また、白色ＬＥＤのデューティー制御は直列接続毎ではなく、いくつかの直列接続を並列にまとめた群とし、この群毎に制御するように構成してもよい。ここで、デューティーサイクルゼロは消灯を意味する。
【００３４】
図３は、図１および図２における実施例１の平面配置概念図であり、図１および図２と対応する部分には同一の番号を付して必要のない限り説明を省略する。図３に明らかなように、白色ＬＥＤはが全体として円形の面状となるよう配列される。また、同一の制御が行われる直列接続された白色ＬＥＤ６、５８、６０等は制御単位として互いに近傍に配置される。そして図１および図２との対応で言えば、制御単位としての白色ＬＥＤ８、６６、６８は全体としてより円の内側に、また制御単位としての白色ＬＥＤ１０、７４、７６は全体としてさらにより円の内側になるよう配置される。なお、白色ＬＥＤの平面配置は図３のような円形に限るものではなく、楕円、矩形など他の適宜の形状が可能である。
【００３５】
また、既に述べたように左方近接センサ４４および右方近接センサ４６の対だけでなく、第３側方近接センサ８２およびこれと対向する第４側方センサ８４の対などが照明装置４の上下軸周りに複数対設けられており、いずれの方向からの手の接近も検知できるようになっている。これにともなって照明範囲も照明装置４の上下軸まわりのいずれの方向へも移動可能となる。なお、左方近接センサ４４、右方近接センサ４６、第３側方近接センサ８２および第４側方センサ８６などは、それぞれ第１赤外線発光部８６、第２赤外線発光部８８および共通赤外線受光部９０を有している。その詳細は後述する。
【００３６】
図４は、図１から図３における実施例１の下方近接センサ４２、左方近接センサ４４、右方近接センサ４６、第３側方近接センサ８２および４側方センサ８４等の詳細構成を示す概念図であり、図１から図３と対応する部分には同一の番号を付して必要のない限り説明を省略する。第１赤外線発光部８６は、所定のタイミングで照射範囲９２に赤外線のパルスを照射する。また第２赤外線発光部８８は第１赤外線発光部８６のパルスとは重ならないタイミングで照射範囲９４に赤外線のパルスを照射する。共通赤外線受光部９０は、受光範囲９６内の赤外線反射光を、第１赤外線発光部８６の赤外線パルス照射タイミング、第２赤外線発光部８８の赤外線パルス照射タイミング、および両者の赤外線パルスが存在しないタイミングにおいてそれぞれサンプリングし、これらの比較からセンシング領域９８内の指等の動きを検知する。
【００３７】
例えば図４で左右方向の動きについては、例えば指等がセンシング領域９８内の位置９１から位置９３に移動するとき、第２赤外線発光部８８からのパルスのみの反射光の指からの反射光を受光する状態から両パルスの指からの反射光を受光する状態を経て、第１赤外線発光部８６のパルスのみの指からの反射光を受光する状態に遷移する。これにより、図4で見て右から左への指の動きを検知する。これに対し、指等がセンシング領域９８内の位置９３から位置９１に移動するときは、反射光の受光状態の遷移が逆になるので、図4で見て左から右への指の動きを検知する。
【００３８】
これに対し、図４で上下方向の動きについては、例えば指等がセンシング領域９８内の位置９５から位置９７に移動するとき、第１赤外線発光部８６からのパルスのみの反射光の指からの反射光を受光する状態から、第１赤外線発光部８６のパルスおよび第２赤外線発光部８８からのパルスの両方について指からの反射光を受光する状態に遷移する。これにより、図4で見て上から下への指の動きを検知する。これに対し、指等がセンシング領域９８内の位置９７から位置９５に移動するときは、反射光の受光状態の遷移が逆になるので、図4で見て下から上への指の動きを検知する。
【００３９】
以上は、指などの比較的小さい物体がセンシング領域９８内を移動する単純な場合で説明したが、手のひらなど比較的大きな物体の場合は、受光出力は手のひらの各部からの反射光の合成となる。この場合、図４で左右方向の移動については、手のひらの端部の動きから比較的容易に動きを検知することができる。これに対し、図４で上下方向の移動の場合は、手のひら全体でみて第１赤外線発光部８６のパルスおよび第２赤外線発光部８８からのパルスの両方について手のひらからの反射光を受光する状態が継続する。このような場合には、反射光量の増減を検知し、反射光量が増加する場合が接近、減少する場合を離間と判断する。なお、上下方向の移動であっても、手のひらが移動方向に対し平行になるよう動かせば反射面積が小さくなるので図４のような反射状態の遷移を検知することができる。なお、図４では、赤外線発光部が二つの場合を示したが、感度を上げるためには赤外線発光部の数を増やすこと、またその場合、赤外線発光部を二次元的または三次元に配置すること、または赤外線受光部９０の数を増やすことが可能である。
【００４０】
図５は、図１から図４における実施例１の下方近接センサ４２、左方近接センサ４４、右方近接センサ４６、第３側方近接センサ８２および４側方センサ８４等における第１赤外線発光部８６および第２赤外線発光部８８におけるパルス照射タイミングおよび共通赤外線受光部９０の反射光サンプリングタイミングを示すタイミングチャートである。図５（Ａ）は第１赤外線発光部８６のパルス照射タイミング、図５（Ｂ）は第２赤外線発光部８８のパルス照射タイミング、図（Ｃ）は共通赤外線受光部９０の受光出力サンプリングタイミングを示す。図５（Ａ）および図５（Ｂ）のパルスの照射は例えば１００Ｈｚ程度で繰り返される。図５から明らかなように、第１赤外線発光部８６のパルスのみが照射中のタイミングｔ１、両者のパルス照射がないタイミングｔ２、第２赤外線発光部８８のパルスのみが照射中のタイミングｔ３および両者のパルス照射がないタイミングｔ４の順で以下同様に受光出力のサンプリングが行われていく。このように、第１赤外線発光部８６のパルスのみが照射中の反射光サンプリングおよび第２赤外線発光部８８のパルスのみが照射中の反射光サンプリングのいずれにおいても、その前後においてパルス照射がない状態の受光サンプリングを行うので、反射光以外の受光出力を効果的に除去することができる。
【実施例２】
【００４１】
図６は、本発明の実施の形態に係る照明装置の実施例２を示すブロック図である。実施例２も、保持部１０２によってキッチン上部の適所に固定されるキッチン用手元照明装置１０４として構成される。また、その構成の大半は実施例１と共通するので、共通する部分は十の位と一の位の共通する百番台の番号を付し、必要のない限り説明を省略する。また、図２から図５に示した詳細構成は、実施例２および以下に述べる他の実施例においても採用可能なものである。図６の実施例２が図１の実施例１と異なるのは、白色ＬＥＤ１０６から１２０等が、内側に湾曲する面上に配置されるとともに実施例１に設けられていた集光レンズアレイ２２が省略されている点である。これに伴って、放熱板１２３も内側に湾曲した形状となっている。
【００４２】
上記の構成の結果、集光レンズアレイ２２がなくても照明光を効率よく照明装置１０４の下方のホットプレート２４、調理台２６、シンク２８などの照明を要するキッチン設備方向に向けることができる。さらに、白色ＬＥＤ１０６から１２０等および放熱板１２３の湾曲のほぼ中心部分１０１には全ての白色ＬＥＤが集光しているので明るい状態で見たい食材や料理などがあれば、それを中心部分１０１に持ち上げればよい。なお、実施例２において白色ＬＥＤ１０６から１２０等が、設けられる面は球面の一部となっており、この結果、中心部分１０１に白色ＬＥＤ群の発光中心軸が集中する形となっているが、白色ＬＥＤ群の発光中心軸が並行でないように配置するには単純な球面上に配置するものに限らず、照明対象面における照度を考慮してきめ細かに設計することも可能である。
【００４３】
なお、照明範囲を移動させる場合、照明範囲をシンク２８側に移動させるには、左方近接センサ１４４に対し左手を接近させることになるが、この動きが制御部１４０によって検知されると、例えば、白色ＬＥＤ１２０側の白色ＬＥＤ群が消灯するとともに白色ＬＥＤ１０６側の白色ＬＥＤ群が点灯する状態となる。逆に、照明範囲をホットプレート２４側に移動させるには、右方近接センサ１４６に対し右手を接近させることになるが、この動きが制御部１４０によって検知されると、例えば、白色ＬＥＤ１０６側の白色ＬＥＤ群が消灯するとともに白色ＬＥＤ１２０側の白色ＬＥＤ群が点灯する状態となる。
【００４４】
図７は、図６の実施例２における白色ＬＥＤ群を実装するためのフレキシブル基板の展開図である。フレキシブル基板１５１は、白色ＬＥＤ１０６、１５８、１６０のグループや白色ＬＥＤ１０８、１６６、１６８のグループなどを搭載しているが、切れ込み１５３等を有し、これを切れ込み部端部が互いに接するよう放熱版１２３の内側に貼り付けることで、全体として白色ＬＥＤ群を図６の断面のように内側に湾曲した面上に配置することができる。なお、配線が切れ込み１５３で分断されないようＬＥＤドライバ等の制御関連回路要素１５５、１５７はフレキシブル基板１５１の中央に配置され、ここから全体として放射状に配線を伸ばすことにより白色ＬＥＤ群を制御する。
【実施例３】
【００４５】
図８は、本発明の実施の形態に係る照明装置の実施例３を示すブロック図である。実施例３も、保持部２０２によってキッチン上部の適所に固定されるキッチン用手元照明装置２０４として構成される。また、その構成の大半は実施例１および実施例２と共通するので、共通する部分は十の位と一の位の共通する二百番台の番号を付し、必要のない限り説明を省略する。図８の実施例３が図１の実施例１または図６の実施例２と異なる第1点は、白色ＬＥＤ２０８、２１２、２１６および２２０等が黄色ＬＥＤ２０７、２０９、２１１および２１３等と均等に混在配置されていることである。
【００４６】
そして、白色ＬＥＤ２０８、２１２、２１６および２２０等は、白色電源部２３２によって給電される白色ＬＥＤドライバ２３０によって制御されるとともに、これと独立に黄色ＬＥＤ２０７、２０９、２１１および２１３等は、黄色電源部２３３によって給電される黄色ＬＥＤドライバ２３１によって制御される。これによって、白色ＬＥＤ群のデューティーサイクルと黄色ＬＥＤ群のデューティーサイクルの変化により白色と黄色の混合比を自由に変更し、白色と黄色の間で照明色を変更することができる。このようなキッチンにおける照明色の変更は、例えば料理や食材の色を、配膳時のダイニングにおける昼間の色温度や夜間照明時の色温度と同じ条件にして評価する場合などに有用である。
【００４７】
図８の実施例３が図１の実施例１または図６の実施例２と異なる第２点は、可動反射傘２１５および２１７を設け、これを駆動部２１９によって連動して駆動することによって、照明光の照射方向を変更できるよう構成した点である。図８では、一例として、照明方向がホットプレート２４に向くよう調整されている状態を示す。なお、図８の実施例３では、図６の実施例２と同様、図１の実施例１に設けられていた集光レンズアレイ２２が省略されている。駆動部２１９は、制御部２４０によって制御されており、左方近接センサ２４４に対し左手を接近させることにより照明範囲がシンク２８側に移動し、右方近接センサ２４６に対し右手を接近させることにより、照明範囲がホットプレート２４側に移動するよう、可動反射傘２１５および２１７が駆動される。
【００４８】
さらに、左方近接センサ２４４および右方近接センサ２４６にそれぞれ両手を接近離間させることにより照明範囲をスポットと広角の間で変更するときは、可動反射傘２１５および２１７が全体として閉じる方向または開く方向に連動して動くよう駆動制御がなされる。なお、図８の実施例３においては、実施例１または実施例２と異なり、照明範囲の広がりまたは中心の移動に伴う白色ＬＥＤ群および黄色ＬＥＤ群の点灯および消灯の変更はない。可動反射傘２１５および２１７は、図８では簡単のため左右一対しか図示していないが、図３における近接センサ対の場合と同様にして、複数の反射傘対が照明装置４の上下軸周りに設けられており、上下軸周りのいずれの方向についても照明範囲を変更することができる。
【００４９】
なお、実施例３の場合、常夜灯点灯の場合は、白色ＬＥＤが全て消灯され、黄色ＬＥＤ群が微小デューティーサイクルにて点灯させられる。また、照明の明るさを変更する場合、全体として照明を暗くする場合は、黄色ＬＥＤ群のデューティーサイクルよりも白色ＬＥＤ群のデューティーサイクルを絞ることによって、全体的に黄色味が勝つようにし、逆に、全体として照明を明るくする場合は、黄色ＬＥＤ群のデューティーサイクルよりも白色ＬＥＤ群のデューティーサイクルをより大きくすることによって、全体的に白色味が強くなるように自動制御する。これによって白熱電球の明るさ変化に伴う色温度変化や日中と夕暮れの色温度変化を真似て感覚的に自然な明るさ変化を行うようにする。
【００５０】
図９は、本発明の実施の形態に係る照明装置の実施例４を示すブロック図である。実施例４も、保持部３０２によってキッチン上部の適所に固定されるキッチン用手元照明装置として構成される。また、その構成の大半は図８の実施例３と共通するので、共通する部分は十の位と一の位が共通する三百番台の番号を付し、必要のない限り説明を省略する。図９の実施例４が図８の実施例３と異なる点は、キッチン用手元照明装置が、制御固定ユニット３０５と可動照明ユニット３０４に分離され、首振機構３４１によって制御固定ユニット３０５に対する可動照明ユニット３０４の角度が可変となっていて、これによって照射方向が変更できるようになっていることである。なお、実施例１と同様にして照明の指向性を高めるため、集光レンズアレイ３２２が採用されている。これらに伴って、実施例３の可動反射傘２１５、２１７は、実施例４では採用されていない。
【００５１】
まず、実施例４における照明方向の変更について説明すると、首不利気候３４１を制御する駆動部３１９は制御部３４０によって制御されており、左方近接センサ３４４に対し左手を接近させることにより可動照明ユニット３０４が全体として版時計回りに傾けられ、シンク２８側を中心に照明するようになる。逆に、右方近接センサ３４６に対し右手を接近させることにより、可動照明ユニット３０４が全体として時計回りに傾けられ、ホットプレート２４側を中心に照明するになる。
【００５２】
なお、左方近接センサ２４４および右方近接センサ２４６にそれぞれ両手を接近離間させることにより照明範囲をスポットと広角の間で変更するときは、実施例１や実施例２と同様、ＬＥＤ群（この場合、白色ＬＥＤ群および黄色ＬＥＤ群）の点灯と消灯により照明範囲を増減する。またこのとき消灯されるＬＥＤの数の増加に伴い、点灯させられるＬＥＤ群のデューティーサイクルを増加させることは実施例１や実施例２と同様である。
【００５３】
以上の実施例１から実施例４は、それぞれの特徴をメインに簡単化して説明しているので、各実施例に示された特徴を複合して採用したり、特徴の組合せを変えたりすることは任意である。例えば、実施例６を実施例４のような首振りタイプとして構成したり、実施例１や実施例２を実施例３や実施例４のような白色ＬＥＤ群と黄色ＬＥＤ群の混在タイプとして構成したりするのは任意である。また、実施例２や実施例３において、実施例１や実施例４のような集光レンズアレイを併用することも任意である。さらに、近接センサは、図４および図５に示したようなものに限るものではなく、同様の機能を果たすことができる他のタイプの近接センサを採用することは任意である。
【００５４】
図１０は、図８の実施例３における制御部２４０および図９の実施例４における制御部３４０の基本機能を示すフローチャートである。但し、後述する読み替え等を行うことにより、図１の実施例１における制御部４０および図６の実施例２における制御部１４０においても採用可能である。フローは照明装置を設置して電源を供給することによりスタートし、ステップＳ２の初期段階処理を行う。この処理は、基本的には照明装置全体の機能チェックを行うものであるが、所定時間を限って諸設定を行うことも可能となっており、消灯に代えて常夜灯点灯を行うか否か、明るさ変化に伴う色温度自動変化を行うか否か、照明範囲変更に伴う自動明るさ変化を行うか否か等についてカスタム設定を行うことができる。なお所定時間内に何も設定しないときはデフォルト設定（上記各設定をすべて「Ｙｅｓ」とするもの）となって初期設定処理を終了する。以下、デフォルト設定としてフローを説明する。
【００５５】
初期設定処理が終了するとステップＳ4に進み、常夜灯黄色点灯を指示する。次いでステップＳ６で下方近接センサにセンサ出力があるかどうかチェックする。そしてセンサ出力があればステップＳ８に進み、現在照明点灯中か否かチェックする。そして照明点灯中でなければステップＳ１０に移行し、点灯状態記憶を読み出してステップＳ１２に進む。記憶がなければデフォルト点灯としてステップＳ１２に進む。ステップＳ１２では、ステップＳ１０の点灯状態記憶に基づき照明点灯を指示する。このようにして、ステップＳ８で照明点灯中でないと判断された時は、ステップＳ６での下方近接センサ出力が何であってもステップＳ１２に進み、照明点灯が指示される。なお、ステップＳ１０の点灯状態記憶とは、前回の消灯直前の明るさ、色温度、照明範囲などの記憶であり、ステップＳ１０を経ることにより、前回消灯直前の照明状態が再現される。
【００５６】
ステップＳ１２で照明点灯が指示されると、ステップＳ１４に進み、その後所定時間の間、近接センサを不感化する。これは、例えば点灯操作のために近接センサに近づけた手を離間させる際の動きを近接センサが感知して意図しない誤動作が生じないようにするためのものである。ステップＳ１４の所定時間が経過するとフローはステップＳ１６に移行し、電源供給が断たれたかどうかチェックして供給が維持されていればステップＳ６に戻る。
【００５７】
これに対し、ステップＳ８で照明点灯中であることが検知された時は、ステップＳ１８に進み、近接センサ出力の時間変化履歴により手の動きを判断するための出力記憶比較処理を行う。そしてステップＳ１８の出力記憶比較処理を経てステップＳ２０に進み、下方近接センサによって検知された手の動きが急速離間であったかどうかチェックする。急速離間でなければステップＳ２２に進み、最初に下方近接センサ出力を検知してから所定時間経過したかどうかチェックする。所定時間の経過がなければステップＳ１８に戻り、新たなセンサ出力に基づく出力記憶比較処理を経てステップＳ２０に進む。このようにして、急速離間が検知されずかつ所定時間が経過しないかぎりはステップＳ１８からステップＳ２２を繰り返し、下方近接センサ出力があっても当面何もしない。このようにして、ステップＳ１８からステップＳ２２を繰り返している間は急速離間の検知だけに反応するので、急速離間のために下方近接センサに近づけた手によって予期しない誤操作が生じてしまうのを防止する。
【００５８】
ステップＳ２２で所定時間の経過があれば、ステップＳ２４に進み、ステップＳ１８で検知された動きが左右移動であったかどうかチェックする。そして左右移動であればステップＳ２６に進み、右への移動であったか左への移動であったかに応じあればその方向に応じ光量を所定量暗くするか明るくする処理を行ってステップＳ２８に移行する。ステップＳ２４で左右移動である旨の検知がなければ直接ステップＳ２８に移行する。
【００５９】
ステップＳ２８では、ステップＳ１８で検知された動きが上下移動であったかどうかチェックする。そして上下移動であればステップＳ３０に進み、上への移動であったか下への移動であったかに応じ照明色を所定量だけ黄色方向または白色方向に変更する処理を行ってステップＳ３２に移行する。ステップＳ２８で左右移動である旨の検知がなければ直接ステップＳ３２に移行する。以上のようにして左右移動および上下移動に基づく操作の実行は、ステップＳ１８からステップＳ２２の繰り返しによって手の動きが急速離間でないことが確認されるまでの間、遅延されることになる。
【００６０】
ステップＳ３２では、下方近接センサの出力により所定時間内に出力変化が生じたかどうかチェックする。下方近接センサの出力変化を起こした手がその後も動いていれば所定時間内の出力変化が生じるが、その後手が静止させられれば、所定時間内の出力変化が生じない。そして所定時間内の出力変化がないことが検知されるとステップＳ３４に進み、その後所定時間の間、近接センサを不感化する。これは、光量変化または色変化の操作を行った手が所望の光量または色を実現した後近接センサから離間する際にこれを近接センサが感知して意図しない光量または色の変化をさらに生じさせるような誤動作が生じないようにするためのものである。ステップＳ３４の所定時間が経過するとフローはステップＳ１６に移行する。一方、ステップＳ３２で所定時間内に出力変化があったときは明るさ変更または色変更の操作が続いているものとみなし、直接ステップＳ１６に移行する。
【００６１】
一方、ステップＳ６で下方近接センサの出力変化が検知されなかったときはステップＳ３６に移行し、左方近接センサおよび右方近接センサの一方または両方におけるセンサ出力変化があったかどうかチェックする。そしてセンサ出力の変化が検知されるとステップＳ３８に進み、照明範囲変更処理を行ってステップＳ１６に移行する。照明範囲変更処理の詳細は後述する。一方、ステップＳ３６で左方近接センサおよび右方近接センサのいずれの出力変化も検出されない場合は直接ステップＳ１６に進む。
【００６２】
一方、ステップＳ２０で急速離間が検知されたときは、ステップＳ４０に進み、現在の点灯状態を記憶するとともに、ステップＳ４２で常夜灯黄色点灯を指示してステップＳ１６に移行する。以上のようにしてステップＳ６からステップＳ４２が繰り返され、常夜灯黄色点灯または照明点灯の維持またはその間の変更、または明るさや色、ならびに照明範囲変更の各操作に対応する。
【００６３】
図１１は、図１０のステップＳ３８における照明範囲変更処理の詳細を示すフローチャートである。フローがスターとすると、ステップＳ５２で照明点灯中か否かチェックする。そして照明点灯中でなければ直ちにフローを終了する。このように、照明点灯中でないときは左方近接センサおよび右方近接センサの出力は無効となり、何も行われない。これは照明範囲の変更については照明点灯によって実際に照明されているキッチン設備等を見ながらでないと照明範囲変更の意味がないからである。
【００６４】
ステップＳ５２において照明点灯中であることが検知されるとステップＳ５４に進み、図１０のステップＳ１８と同様の出力記憶比較処理を行ってステップＳ５６に移行する。ステップＳ５６では左方近接センサおよび右方近接センサの両方にセンサ出力があったかどうかチェックする。そして両センサ出力があればステップＳ５８に移行し、接近検知かどうかチェックする。そして接近検知であればステップＳ６０に進み、急速接近かどうかチェックする。急速接近でなければステップＳ６２の所定照明範囲縮小処理を実行してステップＳ６４に移行する。一方、ステップＳ６０で急速接近が検知されたときは直接ステップＳ６４に移行する。また、ステップＳ５８で接近検知がなされないときも直接ステップＳ６４に移行する。このようにして、ステップＳ６２の照明範囲縮小操作は、左方近接センサおよび右方近接センサにゆっくりと両手を近づけたときに限り実行される。
【００６５】
ステップＳ６４では左方近接センサおよび右方近接センサの両方のセンサ出力により離間検知がなされたかどうかチェックする。そして離間検知であればステップＳ６６の所定照明範囲拡大処理を実行してステップＳ６８に移行する。一方、ステップＳ６４で離間検知がなされないときは直接ステップＳ６８に移行する。このようにして、ステップＳ６６の照明範囲拡大操作は、左方近接センサおよび右方近接センサから両手を離間させる早さに関係なく実行される。なお、ステップＳ５６で左方近接センサおよび右方近接センサの両方にセンサ出力があったことが検知されない場合も直接ステップＳ６８に移行する。
【００６６】
ステップＳ６８では左方近接センサのセンサ出力により接近検知がなされたかどうかチェックする。そして接近検知があればステップＳ７０の所定照明範囲右方変更処理を実行してステップＳ７２に移行する。一方、ステップＳ６８で左方近接センサのセンサ出力による接近検知がないときは直接ステップＳ７２に移行する。
【００６７】
ステップＳ７２では右方近接センサのセンサ出力により接近検知がなされたかどうかチェックする。そして接近検知があればステップＳ７４の所定照明範囲左方変更処理を実行してステップＳ７６に移行する。一方、ステップＳ７２で右方近接センサのセンサ出力による接近検知がないときは直接ステップＳ７６に移行する。以上のように左方近接センサおよび右方近接センサのいずれか一方のみのセンサ出力しかないときは常に接近検知が行われ、離間検知があっても何も実行されない。これは左方近接センサおよび右方近接センサでそれぞれ左右移動の一方ずつを担当するので双方向の検知をする必要がないからである。また、このような検知方式とすることにより、離間による誤動作が生じる心配もなくなる。なおこのような検知方式は、例えば首振りタイプの照明装置を両手で右に押したり左に押したりする動きを非接触で真似たものであって、照明装置に直接触らないで触った場合と同様の操作間隔による操作を可能とするものである。
【００６８】
ステップＳ７６では、左方近接センサおよび右方近接センサのいずれかにおいて所定時間内に出力変化が生じたかどうかチェックする。これは、図１０のステップＳ３２と同様の意味を持つステップである。つまり、左方近接センサおよび右方近接センサの両方の出力変化を起こした両手がその後も動いていれば所定時間内の出力変化が生じるが、その後両手が静止させられれば、出力変化が生じない。そして手の静止が継続して所定時間内の出力変化がないことが検知されるとステップＳ７８に進み、その後所定時間の間、近接センサを不感化する。これによって、照明範囲変更を行った手が所望の照明範囲変更を実現した後近接センサから離間する際にこれを近接センサが感知して意図しない照明範囲拡大を生じさせるような誤動作が生じないようにする。ステップＳ７８の所定時間が経過するとフローは終了する。一方、ステップＳ７６で所定時間内に出力変化があったときは照明範囲変更の操作が続いているものとみなし、直ちにフローを終了する。
【００６９】
上記のように、若干の読み替え修正により、図１０、１１のフローチャートを実施例１、２にも適用することができる。まず、実施例１、２のように色変化の機能を採用しないときは、図１０におけるステップＳ４およびステップＳ４２の「常夜黄色点灯」を「常夜灯点灯」と読み替える。また、ステップＳ２８およびステップＳ３０は省略する。一方、読み替えではないが、図１０のステップＳ３８における「照明範囲変更処理」、および、図１１のステップＳ６２、Ｓ６６、Ｓ７０およびＳ７４における照明範囲の縮小拡大または左右変更は、実施例３や実施例４におけるメカ的な駆動部によるものに限らず、実施例１や実施例２におけるような点灯対象ＬＥＤの変更やその明るさ変更によるものにも適用できるものである。
【００７０】
上記各実施例に例示した本発明の種々の特徴の実施は実施例に限られるものではない。例えば、左方近接センサと右方近接センサなど互いに逆方向の手の動きの検知を担当する一対のセンサ部を設け、これら一対のセンサ部がそれぞれ担当する右手と左手の動きに基づいて光源部の制御を行なう場合、図１１のフローチャートのステップＳ６８およびステップ７２では、それぞれ手の接近のみの検知を行うようにし、離間については不感として手の動きとその結果として得られる照明範囲変更の間で操作感覚上の混乱が起こらないようにしている。しかしながら、一対のセンサ部に互いに逆方向の手の動きの検知を担当させる場合の実施はこれに限られるものではない。一例として、ステップＳ６８およびステップ７２においてそれぞれ左方近接センサと右方近接センサに何らかの手の動きを検知するようにし、手の動きの詳細態様にかかわらず、左手の動きならばステップＳ７０を実行し、右手の動きならばステップＳ７４を実行するよう構成してもよい。この構成によれば、例えば左手の往復運動によって照明範囲の右方変更が生じ、右手の往復運動によって照明範囲の左方変更が生じることになる。この場合でも、操作とその結果を学習することにより、操作者としては左手または右手の接近運動を繰り返している感覚をもって照明範囲の右方変更または左方変更を行うことが可能となる。
【産業上の利用可能性】
【００７１】
本発明は、キッチンやトイレなどにおける直接手を触れずに操作することが望まれる照明装置に適用することができる。
【符号の説明】
【００７２】
６、１０６、２０７、２０８、３０７、３０８  光源部
４２〜４６、１４２〜１４６、２４２〜２４６  非接触近接センサ  
４０、１４０、２４０、３４０  制御部
４４、４６、１４４、１４６．２４４．２４６  ３４４．３４６  一対のセンサ部
【図１】
2012043722.tif 000003
【図２】
2012043722.tif 000004
【図３】
2012043722.tif 000005
【図５】
2012043722.tif 000006
【図６】
2012043722.tif 000007
【図７】
2012043722.tif 000008
【図８】
2012043722.tif 000009
【図９】
2012043722.tif 000010
【図１０】
2012043722.tif 000011
【図１１】
2012043722.tif 000012
【図４】
2012043722.tif 000013